(57)【要約】【課題】本発明は、１本の光ビームを簡単な構成でもって、平行かつ等しい強度の複数の光ビームに分岐する光分岐技術の提供を目的とする。【解決手段】平行に配設される光反射面と光分岐面とに従って、光ビームを光反射面と光分岐面との間を反射を繰り返しながら伝搬させていくとともに、光分岐面からその光ビームの一部を出射させていくことで、平行となる光ビームを出射させていく。このとき、伝搬する光ビームは、光分岐面からの光ビームの出射に伴ってその強度を徐々に減衰していく。そこで、光分岐面の反射に従って減衰されて光反射面に到達する光ビームが、光反射面の反射に従って減衰されて光分岐面に再び到達するときに、前回の到達時の光強度と同一の光強度となるようにと、光反射面と光分岐面との間に設ける光増幅層で光ビームを増幅する。これにより、出射させる光ビームの光強度を同一のものにすることができる。【選択図】図１
2009177037.tif 000002
【特許請求の範囲】
【請求項１】
１本の光ビームを複数の光ビームに分岐する光分岐装置であって、
光反射面と、該光反射面に平行する形で配設されて、斜めに入射される光ビームの一部を該光反射面に向けて反射するとともに残りを外部に出射する光分岐面と、該光反射面と該光分岐面との間に設けられて、該光反射面と該光分岐面との間を反射を繰り返しながら伝搬する光ビームを導波する光導波体とで構成され、
かつ、該光反射面の反射率および該光分岐面の反射率により規定される光増幅率を持つ光増幅層を、該光反射面あるいは該光分岐面に当接する形で配設することで、該光分岐面から平行の形で出射される光ビームが同一の光強度を持つように構成されることを、
特徴とする光分岐装置。
【請求項２】
請求項１に記載の光分岐装置において、
前記光導波体が、前記光増幅層で構成されることを、
特徴とする光分岐装置。
【請求項３】
請求項１又は２に記載の光分岐装置において、
前記光増幅層の光増幅率Ａが、前記光分岐面の反射率をＲ1 、前記光反射面の反射率をＲ2 で表すならば、
Ａ＝１／（Ｒ1 ×Ｒ2 ）1/2 
であることを、
特徴とする光分岐装置。
【請求項４】
１本の光ビームを複数の光ビームに分岐する光分岐方法であって、
光反射面と、該光反射面に平行する形で配設されて、斜めに入射される光ビームの一部を該光反射面に向けて反射するとともに残りを外部に出射する光分岐面と、該光反射面と該光分岐面との間に設けられて光ビームを導波する光導波体とで構成される光分岐装置に対して、光ビームを投射することで、光ビームが該光反射面と該光分岐面との間を反射を繰り返しながら伝搬されるようにするとともに、該光分岐面から平行となる光ビームが出射されるようにし、
さらに、このとき、該光反射面あるいは該光分岐面に当接する形で配設されて、該光反射面の反射率および該光分岐面の反射率の反射率により規定される光増幅率を持つ光増幅層を使って、該光反射面と該光分岐面との間を反射を繰り返しながら伝搬する光ビームを増幅させることで、該光分岐面から出射される光ビームが同一の光強度を持つようにすることを、
特徴とする光分岐方法。
【請求項５】
請求項４に記載の光分岐方法において、
前記光導波体が、前記光増幅層で構成されることを、
特徴とする光分岐方法。
【請求項６】
請求項４又は５に記載の光分岐方法において、
前記光増幅層の光増幅率Ａが、前記光分岐面の反射率をＲ1 、前記光反射面の反射率をＲ2 で表すならば、
Ａ＝１／（Ｒ1 ×Ｒ2 ）1/2 
であることを、
特徴とする光分岐方法。
【発明の詳細な説明】
【技術分野】
【０００１】
本発明は、１本の光ビームを複数の光ビームに分岐する光分岐装置およびその方法に関し、特に、１本の光ビームを簡単な構成でもって、平行かつ等しい強度の複数の光ビームに分岐する光分岐装置およびその方法に関する。
【背景技術】
【０００２】
光通信や光コンピューティングなどの様々な光情報処理の分野で、平行かつ等しい強度の複数のレーザービームを生成することが要求されている。
【０００３】
平行かつ等しい強度の複数のレーザービームを生成する方法としては、１本のハイパワーのレーザービームを光学系を使って分岐することで生成する方法と、複数のレーザー装置を用いてそれぞれのレーザー装置からレーザービームを出射する方法とがある。
【０００４】
後者の方法では、複数のレーザー装置が必要となり、システム全体が大型化し、コストも高いものとなるという問題がある。さらに、それぞれのレーザービームのアライメントをとる必要があることから調整も難しいという問題がある。
【０００５】
一方、前者の方法は、システムが簡単なことから、アライメントが容易となり、コストも低価格のものに抑えることができるという利点がある。
【０００６】
これから、従来から、前者の方法を使って、平行かつ等しい強度の複数のレーザービームを生成する検討が行われている。
【０００７】
前者の方法を使って、平行かつ等しい強度の複数のレーザービームを生成する場合、光ファイバを用いる方法と、ビームスプリッタなどの光学系を用いる方法とがある。
【０００８】
この方法において、光ファイバを用いる場合には、ファイバ出射端において、それぞれのレーザービームにコリメータ用の光学系が必要となり、各レーザービームのアライメント調整が必要となる。一方、ビームスプリッタなどの光学系を用いる場合には、分岐する前の１本のレーザービームをコリメートしアライメント調整することで、すべてのレーザービームのアライメントを共通にできるという利点がある。
【０００９】
このような事情に鑑みて、本発明者らは、ミラーとハーフミラーとを平行に配置して、入射されたレーザービームをその間を反射を繰り返しながら伝搬させるようにすることで、ハーフミラーから平行となるレーザービームが出射されるようにするとともに、これらの出射されるレーザービームの光強度が同一のものになるべく、ハーフミラーにおける反射の第１地点から第Ｎ地点までの各地点での反射率Ｒｉを、
Ｒｉ＝１−１／（Ｎ−（ｉ−１))
となるように変化させるという発明を開示した（特許文献１参照）。
【特許文献１】特許第３０６９７０３号公報
【発明の開示】
【発明が解決しようとする課題】
【００１０】
本発明者らが特許文献１で開示した発明によれば、確かに、１本のレーザービームを簡単なアライメントでもって、平行かつ等しい強度の複数のレーザービームに分岐することができるようになる。これから、簡単なアライメントでもって、平行かつ等しい強度の複数のレーザービームを生成することができるようになる。
【００１１】
しかしながら、この発明では、ハーフミラーにおける反射の第１地点から第Ｎ地点までの各地点での反射率Ｒｉが、
Ｒｉ＝１−１／（Ｎ−（ｉ−１))
となるようにと、こまかく変化させる必要があることから、その製造が難しいという問題がある。
【００１２】
本発明はかかる事情に鑑みてなされたものであって、１本の光ビームを簡単な構成でもって、平行かつ等しい強度の複数の光ビームに分岐することを実現する新たな光分岐技術の提供を目的とする。
【課題を解決するための手段】
【００１３】
この目的を達成するために、本発明の光分岐装置は、１本の光ビームを複数の光ビームに分岐することを実現するために、光反射面と、光反射面に平行する形で配設されて、斜めに入射される光ビームの一部を光反射面に向けて反射するとともに残りを外部に出射する光分岐面と、光反射面と光分岐面との間に設けられて、光反射面と光分岐面との間を反射を繰り返しながら伝搬する光ビームを導波する光導波体とで構成され、かつ、光反射面の反射率および光分岐面の反射率により規定される光増幅率を持つ光増幅層を、光反射面あるいは光分岐面に当接する形で配設することで、光分岐面から平行の形で出射される光ビームが同一の光強度を持つように構成される。
【００１４】
この構成を採るときに、光導波体が光増幅層で構成されることがあり、このときには、本発明の光分岐装置は、互いに平行に配設される光反射面と光増幅層と光分岐面という３層構造で構成されることになる。
【００１５】
このように構成される本発明の光分岐装置では、互いに平行に配設される光反射面と光導波体と光分岐面という３層構造に従って、光ビームが入射されるときに、その光ビームを光反射面と光分岐面との間を反射を繰り返しながら伝搬させていくとともに、光分岐面で光ビームを反射するときに、光分岐面からその光ビームの一部を出射させていくことで、光分岐面から平行となる光ビームを出射させていく。
【００１６】
このとき、光反射面と光分岐面との間を反射を繰り返しながら伝搬する光ビームは、光分岐面からの光ビームの出射に伴ってその強度を徐々に減衰していくことになる。
【００１７】
したがって、光分岐面から平行となる形で出射させる光ビームの光強度は等しいものとはならない。
【００１８】
そこで、本発明の光分岐装置では、光分岐面の反射に従って減衰されて光反射面に到達する光ビームが、光反射面の反射に従って減衰されて光分岐面に再び到達するときに、前回の到達時の光強度と同一の光強度となるようにと、光増幅層で光ビームを増幅するようにする。
【００１９】
すなわち、光増幅層の光増幅率をＡ、光分岐面の反射率をＲ1 、光反射面の反射率をＲ2 で表すならば、光ビームが光分岐面と光反射面との間に配設される光増幅層を往復することを考慮して、
Ａ×Ａ×Ｒ1 ×Ｒ2 ＝１
すなわち、
Ａ＝１／（Ｒ1 ×Ｒ2 ）1/2 
が成立するようにと、光増幅層で光ビームを増幅するのである。
【００２０】
これにより、光分岐面から出射される光ビームが同一の光強度を持つことを実現できるようになる。
【発明の効果】
【００２１】
本発明によれば、互いに平行に配設される光反射面と光分岐面とを使って、１本の光ビームを分岐することで複数の平行な光ビームを生成するときに、簡単な構成でもって、その分岐する光ビームの強度を同一にすることができるようになる。
【００２２】
これから、本発明によれば、１本の光ビームを簡単な構成でもって、平行かつ等しい強度の複数の光ビームに分岐することができるようになる。
【発明を実施するための最良の形態】
【００２３】
以下、実施の形態に従って本発明を詳細に説明する。
【００２４】
図１に、本発明の光分岐装置の一実施形態例を図示する。
【００２５】
本実施形態例の光分岐装置は、この図に示すように、反射率１００％を持つミラー面１０と、ミラー面１０に平行する形で配設される反射率Ｒ・透過率（１−Ｒ）を持つハーフミラー面２０と、ミラー面１０とハーフミラー面２０との間に配設される透明なバルクガラス材３０と、ハーフミラー面２０の内側に当接する形で配設される片道増幅率Ａ＝１／Ｒ1/2 を持つ光増幅層４０とで構成される。
【００２６】
この光増幅層４０は、レーザービームが入射されると、そのレーザービームの光強度をＡ倍して出力するものであり、例えば、現在研究が進んでいるディスクレーザー（例えば、下記の参考文献に記載されている）などを用いることで実現可能である。
【００２７】
参考文献：柳澤隆行，山本修平，平野嘉仁，“側面励起Ｙｂ：ＹＡＧコンポジット薄              ディスクレーザー,"  レーザー研究, Vol.34, No.9, pp.644-651,2006.
このように構成される本実施形態例の光分岐装置では、例えば、ハーフミラー面２０の外側から、光強度Ｈを持つ１本のレーザービームが入射される。
【００２８】
このレーザービームは、最初に、ハーフミラー面２０でその一部の光強度Ｈ1 を反射してから、バルクガラス材３０に入射し、その後は、ハーフミラー面２０とミラー面１０との間を反射を繰り返しながらバルクガラス材３０を伝搬して、図中に示すように、光強度Ｈ2 のレーザービーム、光強度Ｈ3 のレーザービーム、光強度Ｈ4 のレーザービーム、光強度Ｈ5 のレーザービーム、・・・、光強度ＨN のレーザービームとして、ハーフミラー面２０から平行の形で出射していく。
【００２９】
このとき、光強度Ｈ1 は、ハーフミラー面２０の反射率Ｒに従って、
Ｈ1 ＝Ｈ×Ｒ
という光強度を示す。
【００３０】
一方、光強度Ｈの残りは、ハーフミラー面２０の透過率（１−Ｒ）に従って、“Ｈ×（１−Ｒ）”の光強度を持って光増幅層４０を通過し、この通過により光強度が“Ｈ×（１−Ｒ）×Ａ”となって、ミラー面１０で反射することになるが、ミラー面１０の反射率は１００％であるので、そのまま“Ｈ×（１−Ｒ）×Ａ”の光強度を持って光増幅層４０を通過し、この通過により光強度が“Ｈ×（１−Ｒ）×Ａ×Ａ”となって、ハーフミラー面２０の透過率（１−Ｒ）に従って、光強度Ｈ2 として出射するので、光強度Ｈ2 は、
Ｈ2 ＝Ｈ×（１−Ｒ）×Ａ×Ａ×（１−Ｒ）
＝Ｈ×（１−Ｒ）2 ×Ａ2 
＝Ｈ×（１−Ｒ）2 ／Ｒ
という光強度を示す。
【００３１】
以下、同様にして、光強度Ｈ3 は、
Ｈ3 ＝Ｈ×（１−Ｒ）2 ×Ｒ×Ａ4 
＝Ｈ×（１−Ｒ）2 ／Ｒ
＝Ｈ2 
という光強度を示し、光強度Ｈ4 は、
Ｈ4 ＝Ｈ×（１−Ｒ）2 ×Ｒ2 ×Ａ6 
＝Ｈ×（１−Ｒ）2 ／Ｒ
＝Ｈ2 
という光強度を示し、光強度Ｈ5 は、
Ｈ5 ＝Ｈ×（１−Ｒ）2 ×Ｒ3 ×Ａ8 
＝Ｈ×（１−Ｒ）2 ／Ｒ
＝Ｈ2 
という光強度を示す。
【００３２】
このことから分かるように、図１のように構成される本実施形態例の光分岐装置は、反射率１００％を持つミラー面１０と、反射率Ｒ・透過率（１−Ｒ）を持つハーフミラー面２０とが互いに平行に配設されることで、ハーフミラー面２０から平行となるレーザービームを出射させていくときに、片道増幅率Ａ＝１／Ｒ1/2 を持つ光増幅層４０の作用により、それらの出射されるレーザービームの光強度が同一（具体的にはＨ2 ）となるようにするのである。
【００３３】
このようにして、図１のように構成される本実施形態例の光分岐装置によれば、光学系を使って、１本のレーザービームを分岐することで複数の平行なレーザービームを生成するときに、簡単な構成でもって、その分岐するレーザービームの光強度を同一にすることができるようになる。
【００３４】
なお、光強度が同一とならない光強度Ｈ1 のレーザービームについては、図示しない機構により遮蔽していくなどの処理が施されることになる。
【００３５】
図２に、本発明の光分岐装置の他の実施形態例を図示する。
【００３６】
本実施形態例の光分岐装置と図１に示す実施形態例の光分岐装置との違いは、本実施形態例の光分岐装置では、ミラー面１０の反射率が１００％でなくて、Ｒ2 （Ｒ2 ＜１）であることを想定している。
【００３７】
そして、これに合わせて、本実施形態例の光分岐装置では、光増幅層４０の片道増幅率Ａとして、
Ａ＝１／（Ｒ×Ｒ2 ）1/2                                               となるものを用いるようにしている。
【００３８】
ミラー面１０の反射率Ｒ2 であることで、図１に示す実施形態例との違いは、光強度Ｈ2 が、
Ｈ2 ＝Ｈ×（１−Ｒ）2 ×Ａ2 
ではなくて、
Ｈ2 ＝Ｈ×（１−Ｒ）2 ×Ａ2 ×Ｒ2 
となり、光強度Ｈ3 が、
Ｈ3 ＝Ｈ×（１−Ｒ）2 ×Ｒ×Ａ4 
ではなくて、
Ｈ3 ＝Ｈ×（１−Ｒ）2 ×Ｒ×Ａ4 ×Ｒ2 2 
となり、光強度Ｈ4 が、
Ｈ4 ＝Ｈ×（１−Ｒ）2 ×Ｒ2 ×Ａ6 
ではなくて、
Ｈ4 ＝Ｈ×（１−Ｒ）2 ×Ｒ2 ×Ａ6 ×Ｒ2 3 
となり、光強度Ｈ5 が、
Ｈ5 ＝Ｈ×（１−Ｒ）2 ×Ｒ3 ×Ａ8 
ではなくて、
Ｈ5 ＝Ｈ×（１−Ｒ）2 ×Ｒ3 ×Ａ8 ×Ｒ2 4 
となるという点である。
【００３９】
この違いを考慮して、本実施形態例の光分岐装置では、光増幅層４０の片道増幅率Ａとして、
Ａ＝１／（Ｒ×Ｒ2 ）1/2                                               となるものを用いるようにしており、これにより、ハーフミラー面２０より出射されるレーザービームの光強度は、図１に示す実施形態例と同様に、Ｈ2 という同一強度となることになる。
【００４０】
なお、光強度が同一とならない光強度Ｈ1 のレーザービームについては、図示しない機構により遮蔽していくなどの処理が施されることになる。
【００４１】
図３に、本発明の光分岐装置の他の実施形態例を図示する。
【００４２】
本実施形態例の光分岐装置と図１に示す実施形態例の光分岐装置との違いは、本実施形態例の光分岐装置では、片道増幅率Ａ＝１／Ｒ1/2 を持つ光増幅層４０をハーフミラー面２０の内側ではなくて、ミラー面１０の内側に当接する形で配設している点である。
【００４３】
本実施形態例の光分岐装置でも、ミラー面１０で反射されるレーザービームは、図１に示す実施形態例の光分岐装置と同様に、光増幅層４０を２回通過することになるので、光強度Ｈ2,Ｈ3,Ｈ4,Ｈ5 は、図１に示す実施形態例の光分岐装置と同じ値となる。
【００４４】
これにより、本実施形態例の光分岐装置でも、ハーフミラー面２０より出射されるレーザービームの光強度は、図１に示す実施形態例と同様に、Ｈ2 という同一強度となることになる。
【００４５】
なお、光強度が同一とならない光強度Ｈ1 のレーザービームについては、図示しない機構により遮蔽していくなどの処理が施されることになる。
【００４６】
図４に、本発明の光分岐装置の他の実施形態例を図示する。
【００４７】
本実施形態例の光分岐装置と図１に示す実施形態例の光分岐装置との違いは、本実施形態例の光分岐装置では、ミラー面１０の一部を切り欠いて、その個所の外側から、光強度Ｈを持つ１本のレーザービームを入射するようにしている点である。光増幅層４０の片道増幅率Ａについては、図１に示す実施形態例と同様にＡ＝１／Ｒ1/2 である。
【００４８】
この場合には、光強度Ｈは光増幅層４０を通過してハーフミラー面２０を透過するので、光強度Ｈ1 は、
Ｈ1 ＝Ｈ×Ａ×（１−Ｒ）
＝Ｈ×（１−Ｒ）／Ｒ1/2 
という光強度を示す。
【００４９】
一方、ハーフミラー面２０を反射する光強度は、ハーフミラー面２０の反射率Ｒに従って、“Ｈ×Ａ×Ｒ”の光強度を持って光増幅層４０を通過し、この通過により光強度が“Ｈ×Ａ×Ｒ×Ａ”となって、ミラー面１０で反射することになるが、ミラー面１０の反射率は１００％であるので、そのまま“Ｈ×Ａ×Ｒ×Ａ”の光強度を持って光増幅層４０を通過し、この通過により光強度が“Ｈ×Ａ×Ｒ×Ａ×Ａ”となって、ハーフミラー面２０の透過率（１−Ｒ）に従って、光強度Ｈ2 として出射するので、光強度Ｈ2 は、
Ｈ2 ＝Ｈ×Ａ×Ｒ×Ａ×Ａ×（１−Ｒ）
＝Ｈ×（１−Ｒ）×Ｒ×Ａ3 
＝Ｈ×（１−Ｒ）／Ｒ1/2 
＝Ｈ1 
という光強度を示す。
【００５０】
以下、同様にして、光強度Ｈ3 は、
Ｈ3 ＝Ｈ×（１−Ｒ）×Ｒ2 ×Ａ5 
＝Ｈ×（１−Ｒ）／Ｒ1/2 
＝Ｈ1 
という光強度を示し、光強度Ｈ4 は、
Ｈ4 ＝Ｈ×（１−Ｒ）×Ｒ3 ×Ａ7 
＝Ｈ×（１−Ｒ）／Ｒ1/2 
＝Ｈ1 
という光強度を示し、光強度Ｈ5 は、
Ｈ5 ＝Ｈ×（１−Ｒ）×Ｒ4 ×Ａ9 
＝Ｈ×（１−Ｒ）／Ｒ1/2 
＝Ｈ1 
という光強度を示す。
【００５１】
これにより、本実施形態例の光分岐装置でも、ハーフミラー面２０より出射されるレーザービームの光強度は、Ｈ1 という同一強度となることになる。
【００５２】
このようにして、本発明の光分岐装置によれば、互いに平行に配列されるミラー面１０とハーフミラー面２０とを使って、１本のレーザービームを分岐することで複数の平行なレーザービームを生成するときに、簡単な構成でもって、その分岐するレーザービームの強度を同一にすることができるようになることから、１本のレーザービームを簡単な構成でもって、平行かつ等しい強度の複数のレーザービームに分岐することができるようになる。
【００５３】
以上に説明した実施形態例では、レーザービームを一次元的に分岐させる方法について説明したが、本発明を利用することで、レーザービームを二次元的に分岐させることも可能である。
【００５４】
レーザービームＬ０を二次元的に分岐させるには、図５に示すように、ミラー面１００とハーフミラー面２００とからなる一組Ｃ１と、ミラー面３００とハーフミラー面４００とからなる一組Ｃ２とを、レーザービームＬ０の投射方向に対して互いに離隔して配置する。ここで、いずれの組Ｃ１，Ｃ２においても、ミラー面１００，３００を前段に、ハーフミラー面２００，４００を後段に、それらを互いに平行に配置する。
【００５５】
そして、一方の組Ｃ１は、レーザービームＬ０の投射方向とは直交する面に設けた垂直軸Ｍ１を中心にして、所定角度βだけ回転させてセッティングする。また、他方の組Ｃ２は、レーザービームＬ０の投射方向に平行な面内にそのレーザービームＬ０の投射方向とは直交するように設けた軸Ｍ２を中心にして、所定角度γだけ回転させてセッティングする。
【００５６】
このような構成の下、まずレーザービームＬ０を一方の組Ｃ１のミラー面１００の外を通過させて直接ハーフミラー面２００に投射し、それによって、前述の同じ手法に従って反射・出射・光増幅を繰り返すことで、例えば、同じ光強度を持つ４本の平行な透過ビームＬ１１〜Ｌ１４を生成する。
【００５７】
続いて、この４本の透過ビームＬ１１〜Ｌ１４を他方の組Ｃ２のミラー面３００の外を通過させて直接ハーフミラー面４００に投射し、それによって、前述の同じ手法に従って反射・出射・光増幅を繰り返すことで、例えば、１本の透過ビームＬ１１から同じ光強度を持つ４本の平行な透過ビームＬ１１１〜Ｌ１１４を生成することで、４行×４列で構成される同一の光強度を持つ合計１６本の透過ビームを生成する。
【００５８】
このようにして、本発明を利用することで、レーザービームを二次元的に分岐させることも可能である。
【００５９】
図示実施形態例に従って本発明を説明したが、本発明はこれに限定されるものではない。例えば、実施形態例では、ハーフミラー面２０とミラー面１０との間に設ける光導波体として透明なバルクガラス材３０を用いるようにしたが、この光導波体はバルクガラス材３０に限られるものではない。
【００６０】
また、実施形態例では、ハーフミラー面２０の外側からレーザービームを入射したり、ミラー面１０の一部を切り欠いて、その個所の外側からレーザービームを入射するようにしたが、本発明の光分岐装置へのレーザービームの入射方法は、バルクガラス材３０の側面から入射させてもよく、これらの方法に限られるものではなくて、どのようなものであってもよい。
【産業上の利用可能性】
【００６１】
本発明は、平行かつ等しい強度の複数の光ビームを生成する必要がある場合に適用できるものであり、１本の光ビームを簡単な構成でもって、平行かつ等しい強度の複数の光ビームに分岐することにより、そのような光ビームの生成を実現する。
【図面の簡単な説明】
【００６２】
【図１】本発明の光分岐装置の一実施形態例である。
【図２】本発明の光分岐装置の他の実施形態例である。
【図３】本発明の光分岐装置の他の実施形態例である。
【図４】本発明の光分岐装置の他の実施形態例である。
【図５】レーザービームを二次元的に分岐させる構成の説明図である。
【符号の説明】
【００６３】
１０  ミラー面
２０  ハーフミラー面
３０  バルクガラス材
４０  光増幅層
【図１】
2009177037.tif 000003
【図２】
2009177037.tif 000004
【図３】
2009177037.tif 000005
【図４】
2009177037.tif 000006
【図５】
2009177037.tif 000007